(57)【要約】【課題】ＬＴＥ（long term evolution）ネットワークにおいて、ＬＴＥ制御プレーンを介した発展型パケットシステム（ＥＰＳ）モビリティ管理（ＥＭＭ）経由で、ショートメッセージサービス（ＳＭＳ）および付加サービス（ＳＳ）を実現可能にするための方法、装置を提供する。【解決手段】無線リソース制御（ＲＲＣ）接続のシグナリング無線ベアラ（ＳＲＢ）は、無線送受信ユニット（ＷＴＲＵ）とモビリティ管理エンティティ（ＭＭＥ）との間でＳＭＳおよびＳＳを搬送するのに使用される。ＬＴＥにおいてＳＭＳおよびＳＳサービスを実現可能にするためのＳＭＳおよびＳＳエンティティへの作用に対するＥＭＭインタフェースおよびプリミティブが定義される。ＳＭＳおよびＳＳをＥＭＭアップリンク（ＵＬ）非アクセス層（ＮＡＳ）搬送およびダウンリンク（ＤＬ）ＮＡＳ搬送メッセージ内に送信するためのメッセージフォーマットも開示される。【選択図】図１
2015111893.tif 000002
【特許請求の範囲】
【請求項１】
サービスメッセージを生成するように構成されたプロセッサと、
前記サービスメッセージをアップリンク（ＵＬ）非アクセス層（ＮＡＳ）トランスポートメッセージにカプセル化するようにさらに構成された前記プロセッサであって、前記ＵＬ  ＮＡＳトランスポートメッセージは、プロトコル識別子フィールド、前記サービスメッセージを含むＮＡＳメッセージコンテナ、前記ＵＬ  ＮＡＳトランスポートメッセージのメッセージタイプフィールド、および前記サービスメッセージのメッセージタイプフィールドを含み、前記ＮＡＳメッセージコンテナは前記サービスメッセージを含む、前記プロセッサと、
前記ＵＬ  ＮＡＳトランスポートメッセージを含むＲＲＣ  ＵＬ情報転送メッセージを生成するようにさらに構成された前記プロセッサと、
前記ＲＲＣ  ＵＬ情報転送メッセージを、シグナル無線ベアラ（ＳＲＢ）を介して送信するようにさらに構成された前記プロセッサと、
を備える無線送受信ユニット（ＷＴＲＵ）。
【請求項２】
前記ＳＲＢはＳＲＢ２である、請求項１に記載のＷＴＲＵ。
【請求項３】
前記ＵＬ  ＮＡＳトランスポートメッセージは、セキュリティヘッダタイプフィールド（security header type field）をさらに含む、請求項１に記載のＷＴＲＵ。
【請求項４】
前記プロセッサは、サービス要求を送信してモビリティ管理エンティティとの接続を確立して、前記ＲＲＣ  ＵＬ情報転送メッセージが送信されることを可能にするようにさらに構成された、請求項１に記載のＷＴＲＵ。
【請求項５】
前記サービスメッセージは付加サービスメッセージである、請求項１に記載のＷＴＲＵ。
【請求項６】
前記プロセッサは、ショートメッセージサービス（ＳＭＳ）メッセージを生成するようにさらに構成され、
前記プロセッサは、前記ＳＭＳメッセージを第２のＵＬ  ＮＡＳトランスポートメッセージにカプセル化するようにさらに構成され、前記第２のＵＬ  ＮＡＳトランスポートメッセージはプロトコル識別子フィールド、ＮＡＳメッセージコンテナ、前記第２のＵＬ  ＮＡＳトランスポートメッセージのメッセージタイプフィールド、および前記ＳＭＳメッセージのメッセージタイプフィールドを含み、前記ＮＡＳメッセージコンテナは前記ＳＭＳメッセージを含み、
前記プロセッサは、前記第２のＵＬ  ＮＡＳトランスポートメッセージを含む第２のＲＲＣ  ＵＬ情報転送メッセージを生成するようにさらに構成され、
前記プロセッサは、前記第２のＲＲＣ  ＵＬ情報転送メッセージを、第２のＳＲＢを介して送信するようにさらに構成された、請求項１に記載のＷＴＲＵ。
【請求項７】
無線送受信ユニット（ＷＴＲＵ）によって実施される方法であって、
サービスメッセージを生成するステップと、
前記サービスメッセージをアップリンク（ＵＬ）非アクセス層（ＮＡＳ）トランスポートメッセージにカプセル化するステップであって、前記ＵＬ  ＮＡＳトランスポートメッセージは、プロトコル識別子フィールド、前記サービスメッセージを含むＮＡＳメッセージコンテナ、前記ＵＬ  ＮＡＳトランスポートメッセージのメッセージタイプフィールド、および前記サービスメッセージのメッセージタイプフィールドを含み、前記ＮＡＳメッセージコンテナは前記サービスメッセージを含む、ステップと、
前記ＵＬ  ＮＡＳトランスポートメッセージを含むＲＲＣ  ＵＬ情報転送メッセージを生成するステップと、
前記ＲＲＣ  ＵＬ情報転送メッセージを、シグナル無線ベアラ（ＳＲＢ）を介して送信するステップと、
を備える方法。
【請求項８】
前記ＳＲＢはＳＲＢ２である、請求項７に記載の方法。
【請求項９】
前記ＵＬ  ＮＡＳトランスポートメッセージは、セキュリティヘッダタイプフィールド（security header type field）をさらに含む、請求項７に記載の方法。
【請求項１０】
サービス要求を送信してモビリティ管理エンティティとの接続を確立して、前記ＲＲＣ  ＵＬ情報転送メッセージが送信されることを可能にするステップをさらに備える、請求項７に記載の方法。
【請求項１１】
前記サービスメッセージは付加サービスメッセージである、請求項７に記載の方法。
【請求項１２】
ショートメッセージサービス（ＳＭＳ）メッセージを生成するステップと、
前記ＳＭＳメッセージを第２のＵＬ  ＮＡＳトランスポートメッセージにカプセル化するステップであって、前記第２のＵＬ  ＮＡＳトランスポートメッセージは、プロトコル識別子フィールド、ＮＡＳメッセージコンテナ、前記第２のＵＬ  ＮＡＳトランスポートメッセージのメッセージタイプフィールド、および前記ＳＭＳメッセージのメッセージタイプフィールドを含み、前記ＮＡＳメッセージコンテナは前記ＳＭＳメッセージを含む、ステップと、
前記第２のＵＬ  ＮＡＳトランスポートメッセージを含む第２のＲＲＣ  ＵＬ情報転送メッセージを生成するステップと、
前記第２のＲＲＣ  ＵＬ情報転送メッセージを、第２のＳＲＢを介して送信するステップと、
をさらに備える、請求項７に記載の方法。
【請求項１３】
無線リソース制御（ＲＲＣ）アップリンク（ＵＬ）情報転送メッセージを、無線送受信ユニット（ＷＴＲＵ）からシグナル無線ベアラ（ＳＲＢ）を介して受信するように構成された発展型ノードＢ（ｅノードＢ）を備え、
前記ＲＲＣ  ＵＬ情報転送メッセージは、ＵＬ非アクセス層（ＮＡＳ）トランスポートメッセージを含み、
前記ＵＬ  ＮＡＳトランスポートメッセージは、プロトコル識別子フィールド、サービスメッセージを含むＮＡＳメッセージコンテナ、前記ＵＬ  ＮＡＳトランスポートメッセージのメッセージタイプフィールド、および前記サービスメッセージのメッセージタイプフィールドを含み、前記ＮＡＳメッセージコンテナはサービスメッセージを含み、
前記ＵＬ  ＮＡＳトランスポートメッセージをモビリティ管理エンティティ（ＭＭＥ）に提供するように構成された前記ｅノードＢを備える
発展型ユニバーサル地上波無線アクセスネットワーク（Ｅ−ＵＴＲＡＮ）。
【請求項１４】
前記ＳＲＢはＳＲＢ−２である、請求項１３に記載のＥ−ＵＴＲＡＮ。
【請求項１５】
前記ＵＬ  ＮＡＳトランスポートメッセージは、セキュリティヘッダタイプフィールド（security header type field）をさらに含む、請求項１３に記載のＥ−ＵＴＲＡＮ。
【請求項１６】
前記ｅノードＢは、サービス要求を含むＲＲＣメッセージを受信して、ＷＴＲＵと前記ＭＭＥとの間で接続を確立して、前記ＲＲＣ  ＵＬ情報転送メッセージが前記ＷＴＲＵによって受信されることを可能にするようにさらに構成された、請求項１３に記載のＥ−ＵＴＲＡＮ。
【請求項１７】
前記サービスメッセージは付加サービス（ＳＳ）メッセージである、請求項１３に記載のＥ−ＵＴＲＡＮ。
【請求項１８】
第２のＲＲＣ  ＵＬ情報転送メッセージを、第２のＳＲＢを介して受信するようにさらに構成された前記ｅノードＢを備え、
前記第２のＲＲＣ  ＵＬ情報転送メッセージは、第２のＵＬ  ＮＡＳトランスポートメッセージを含み、
前記第２のＵＬ  ＮＡＳトランスポートメッセージは、プロトコル識別子フィールド、ショートメッセージサービス（ＳＭＳ）メッセージを含むＮＡＳメッセージコンテナ、前記第２のＵＬ  ＮＡＳトランスポートメッセージのメッセージタイプフィールド、および前記ＳＭＳメッセージのメッセージタイプフィールドを含み、前記ＮＡＳメッセージコンテナはショートメッセージサービス（ＳＭＳ）メッセージを含み、
前記第２のＵＬ  ＮＡＳトランスポートメッセージを前記ＭＭＥに提供するようにさらに構成された前記ｅノードＢを備える、請求項１３に記載のＥ−ＵＴＲＡＮ。
【請求項１９】
無線送受信ユニット（ＷＴＲＵ）によって実施され、サービスメッセージを伝達する方法であって、
ダウンリンク（ＤＬ）情報転送メッセージを、シグナル無線ベアラ（ＳＲＢ）を介して受信するステップと、
ＤＬ非アクセス層（ＮＡＳ）トランスポートメッセージを前記ＤＬ情報転送メッセージから取り除くステップであって、前記ＤＬ  ＮＡＳトランスポートメッセージは、プロトコル識別子フィールド、サービスメッセージを含むＮＡＳメッセージコンテナ、前記ＤＬ  ＮＡＳトランスポートメッセージのメッセージタイプフィールド、および前記サービスメッセージのメッセージタイプフィールドを含み、前記ＮＡＳメッセージコンテナはサービスメッセージを含む、ステップと、
を備える方法。
【請求項２０】
前記ＳＲＢはＳＲＢ２である、請求項１９に記載の方法。
【請求項２１】
前記ＤＬ  ＮＡＳトランスポートメッセージは、セキュリティヘッダタイプフィールド（security header type field）をさらに含む、請求項１９に記載の方法。
【請求項２２】
前記ＷＴＲＵは、前記ＤＬ情報転送メッセージをモビリティ管理エンティティ（ＭＭＥ）から受信する、請求項１９に記載の方法。
【請求項２３】
前記サービスメッセージは付加サービス（ＳＳ）メッセージである、請求項１９に記載の方法。
【請求項２４】
第２のＤＬ  ＮＡＳトランスポートメッセージを含む第２のＤＬ情報転送メッセージを受信するステップと、
前記第２のＤＬ  ＮＡＳトランスポートメッセージを前記第２のＤＬ情報転送メッセージから取り除くステップと、を備え、
前記第２のＤＬ  ＮＡＳトランスポートメッセージは、プロトコル識別子フィールド、ショートメッセージサービス（ＳＭＳ）メッセージを含むＮＡＳメッセージコンテナ、前記第２のＤＬ  ＮＡＳトランスポートメッセージのメッセージタイプフィールド、および前記ＳＭＳメッセージのメッセージタイプフィールドを含み、前記ＮＡＳメッセージコンテナはショートメッセージサービス（ＳＭＳ）メッセージを含む、請求項１９に記載の方法。
【請求項２５】
サービスメッセージをダウンリンク（ＤＬ）非アクセス層（ＮＡＳ）トランスポートメッセージにカプセル化するように構成されたプロセッサであって、前記ＤＬ  ＮＡＳトランスポートメッセージは、プロトコル識別子フィールド、前記サービスメッセージを含むＮＡＳメッセージコンテナ、前記ＤＬ  ＮＡＳトランスポートメッセージのメッセージタイプフィールド、および前記サービスメッセージのメッセージタイプフィールドを含み、前記ＮＡＳメッセージコンテナは前記サービスメッセージを含む、プロセッサと、
前記ＤＬ  ＮＡＳトランスポートメッセージをｅノードＢに送信するように構成された前記プロセッサであって、前記送信することは、前記ｅノードＢが、前記ＤＬ  ＮＡＳトランスポートメッセージを無線リソース制御（ＲＲＣ）ＤＬ転送メッセージ中でシグナル無線ベアラ（ＳＲＢ）を介して無線送受信ユニット（ＷＴＲＵ）に送信することを可能にする、前記プロセッサと、
を備えるモビリティ管理エンティティ（ＭＭＥ）。
【請求項２６】
前記ＳＲＢはＳＲＢ２である、請求項２５に記載のＭＭＥ。
【請求項２７】
前記ＤＬ  ＮＡＳトランスポートメッセージは、セキュリティヘッダタイプフィールド（security header type field）をさらに含む、請求項２５に記載のＭＭＥ。
【請求項２８】
前記サービスメッセージは付加サービス（ＳＳ）メッセージである、請求項２５に記載のＭＭＥ。
【請求項２９】
ショートメッセージサービス（ＳＭＳ）メッセージを第２のＤＬ  ＮＡＳトランスポートメッセージにカプセル化するようにさらに構成された前記プロセッサであって、前記第２のＤＬ  ＮＡＳトランスポートメッセージは、プロトコル識別子フィールド、前記ＳＭＳメッセージを含むＮＡＳメッセージコンテナ、前記第２のＤＬ  ＮＡＳトランスポートメッセージのメッセージタイプフィールド、および前記ＳＭＳメッセージのメッセージタイプフィールドを含み、前記ＮＡＳメッセージコンテナは前記ＳＭＳメッセージを含む、前記プロセッサと、
前記第２のＤＬ  ＮＡＳトランスポートメッセージを前記ｅノードＢに送信するようにさらに構成された前記プロセッサであって、前記送信することは、前記ｅノードＢが、前記第２のＤＬ  ＮＡＳトランスポートメッセージを第２のＲＲＣ  ＤＬ転送メッセージ中で第２のＳＲＢを介して前記ＷＴＲＵに送信することを可能にする、前記プロセッサと、
を備える、請求項２５に記載のＭＭＥ。
【請求項３０】
モビリティ管理エンティティ（ＭＭＥ）において使用される方法であって、
サービスメッセージをダウンリンク（ＤＬ）非アクセス層（ＮＡＳ）トランスポートメッセージにカプセル化するステップであって、前記ＤＬ  ＮＡＳトランスポートメッセージは、プロトコル識別子フィールド、前記サービスメッセージを含むＮＡＳメッセージコンテナ、前記ＤＬ  ＮＡＳトランスポートメッセージのメッセージタイプフィールド、および前記サービスメッセージのメッセージタイプフィールドを含み、前記ＮＡＳメッセージコンテナは前記サービスメッセージを含む、ステップと、
前記ＤＬ  ＮＡＳトランスポートメッセージをｅノードＢに送信するステップであって、前記送信することは、前記ｅノードＢが、前記ＤＬ  ＮＡＳトランスポートメッセージを無線リソース制御（ＲＲＣ）ＤＬ転送メッセージ中でシグナル無線ベアラ（ＳＲＢ）を介して無線送受信ユニット（ＷＴＲＵ）に送信することを可能にする、ステップと、
を備える方法。
【請求項３１】
前記ＳＲＢはＳＲＢ２である、請求項３０に記載の方法。
【請求項３２】
前記ＤＬ  ＮＡＳトランスポートメッセージは、セキュリティヘッダタイプフィールド（security header type field）をさらに含む、請求項３０に記載の方法。
【請求項３３】
前記サービスメッセージは付加サービスメッセージである、請求項３０に記載の方法。
【請求項３４】
ショートメッセージサービス（ＳＭＳ）メッセージを第２のＤＬ  ＮＡＳトランスポートメッセージにカプセル化するステップであって、前記第２のＤＬ  ＮＡＳトランスポートメッセージは、プロトコル識別子フィールド、前記ＳＭＳメッセージを含むＮＡＳメッセージコンテナ、前記第２のＤＬ  ＮＡＳトランスポートメッセージのメッセージタイプフィールド、および前記ＳＭＳメッセージのメッセージタイプフィールドを含み、前記ＮＡＳメッセージコンテナは前記ＳＭＳメッセージを含む、ステップと、
前記第２のＤＬ  ＮＡＳトランスポートメッセージを前記ｅノードＢに送信するステップであって、前記送信することは、前記ｅノードＢが、前記第２のＤＬ  ＮＡＳトランスポートメッセージを第２のＲＲＣ  ＤＬ転送メッセージ中で第２のＳＲＢを介して前記ＷＴＲＵに送信することを可能にする、ステップと、
をさらに備える、請求項３０に記載の方法。
【発明の詳細な説明】
【技術分野】
【０００１】
本願は、無線通信に関する。
【背景技術】
【０００２】
３ＧＰＰ（the third generation partnership project）のＬＴＥ（long term evolution）プログラムにおける現在の取り組みは、新しい技術、新しいアーキテクチャ、および新しい方法を導入してスペクトル効率の改善、レイテンシーの低減、および無線リソースのより適切な使用をもたらすことによって、低価格で、ユーザ体験をより高速にし、アプリケーションおよびサービスをより豊富にすることを目指している。従来の商業的に提供できる無線サービス、特にショートメッセージサービス（ＳＭＳ）を実現可能にすることにより、無線サービス製品市場においてＬＴＥ技術が大いに受け入れられることになるであろう。
【０００３】
現在のＬＴＥ仕様において、ＳＭＳサービスは、完全に定義されているわけではないか、インターネットプロトコル（ＩＰ）マルチメディアサービス（ＩＭＳ）ベースＳＭＳサービス、または開発経費が膨大であり、ネットワークサービスのインタラクションが複雑で伝送効率が低いといった回線交換（ＣＳ）フォールバックの方法論に依存しているかのいずれかである。ＬＴＥにおける付加サービス（ＳＳ）に対しては、いまだにサポータビリティが定義されていないし実現可能になっていない。
【０００４】
データ伝送効率全体の成果をあげながら、ＬＴＥにおけるＳＭＳおよびＳＳの実装およびバックボーンルーティングの簡素化を実現可能にする方法および装置を提供することが望ましいであろう。
【発明の概要】
【課題を解決するための手段】
【０００５】
ＬＴＥ制御プレーンを介した発展型パケットシステム（ＥＰＳ）モビリティ管理（ＥＭＭ）経由でＬＴＥネットワークにおいてＳＭＳおよびＳＳメッセージを伝達するための方法および装置について説明する。無線送受信ユニット（ＷＴＲＵ）とモビリティ管理エンティティ（ＭＭＥ）との間でＬＴＥ制御プレーンを介して、無線リソース制御（ＲＲＣ）を接続するシグナリング無線ベアラ（ＳＲＢ）−２をＳＭＳおよびＳＳ搬送に使用できる。ＬＴＥ制御プレーン媒体経由でＬＴＥにおけるＳＭＳおよびＳＳサービスを実現可能にするためのＳＭＳおよびＳＳエンティティへの作用に関するＥＭＭインタフェースおよびプリミティブが定義される。ＥＭＭアップリンク（ＵＬ）非アクセス層（ＮＡＳ）トランスポートメッセージ（non-access stratum (NAS) transport message）およびダウンリンク（ＤＬ）ＮＡＳトランスポートメッセージ内でＳＭＳおよびＳＳメッセージを送信するために、ＳＭＳおよびＳＳメッセージ搬送用のメッセージフォーマットも開示される。
【０００６】
添付図面とともに例として与えられた以下の説明からより詳細な理解を得ることができる。
【図面の簡単な説明】
【０００７】
【図１】プロトコルエンティのアーキテクチャを有するＷＴＲＵを含む無線通信システムを示す図である。
【図２】代替的なプロトコルエンティのアーキテクチャを有するＷＴＲＵを用いた無線通信システムを示す図である。
【図３】発信するＳＭＳを支援するプロシージャを示す図である。
【図４】着信するＳＭＳを支援するプロシージャを示す図である。
【図５】図１および図２のシステムを使用して支援された呼び出しに依存しない付加サービスを示す図である。
【図６】ＥＭＭ用のＮＡＳメッセージヘッダフォーマット全体を示す図である。
【図７】ＥＭＭメッセージＵＬ／ＤＬトランスポートフォーマットを示す図である。
【図８】ＳＭＳおよびＳＳメッセージヘッダにペイロードフォーマットを加えたものを示す図である。
【図９】ＬＴＥにおいてＳＭＳおよびＳＳを支援するＥＭＭメッセージフォーマットを示す図である。
【図１０】モバイル終端（ＭＴ）ＳＭＳプロシージャのシグナリング図である。
【図１１】ＭＴ  ＳＳプロシージャのシグナリング図である。
【発明を実施するための形態】
【０００８】
以降参照する場合、用語「無線送受信ユニット（ＷＴＲＵ）」は、ユーザ機器（ＵＥ）、移動局、固定式または移動式加入者ユニット、ページャ、携帯電話、ＰＤＡ（personal digital assistant）、コンピュータ、または無線環境において動作できるその他の種類のユーザデバイスを含むが、これに限らない。
【０００９】
以降参照する場合、用語「発展型ノードＢ（ｅノードＢ）」は、基地局、サイトコントローラ、アクセスポイント（ＡＰ）、または無線環境において動作できるその他の種類のインタフェーシングデバイスを含むが、これに限らない。
【００１０】
〔ＥＭＭを介したＳＭＳおよびＳＳの実現〕
図１に、ＷＴＲＵ１０５、発展型ユニバーサル地上波無線アクセスネットワーク（Ｅ−ＵＴＲＡＮ）１１０、ＭＭＥ１１５、およびＭＳＣ（mobile switching center）／ＶＬＲ（visitor location register）１２０を含む無線ＬＴＥ通信システム１００を示す。Ｅ−ＵＴＲＡＮは、複数のｅノードＢを含む。システム１００は、ＷＴＲＵ１０５内のＥＭＭ機能およびＭＭＥ１１５を提供し、ＬＴＥ制御プレーン媒体を介してＥＭＭインタフェースにアクセスすることによってＳＭＳおよびＳＳに対応する。ＭＳＣ／ＶＬＲ１２０は、ＧＳＭ（global system for mobile communication）ネットワークまたはＵＭＴＳ（universal mobile telecommunications system）ネットワークの一部とすることができ、ＣＳドメイン内であると見なされる。Ｅ−ＵＴＲＡＮ１１０およびＭＭＥ１１５は、ＬＴＥネットワークの一部であり、ＬＴＥネットワークは、パケット交換（ＰＳ）ドメイン内にあると見なされる。ＳＭＳトラフィックは、ＣＳフォールバック機能を使用してまたは直接、ＬＴＥネットワークの制御プレーンを介して転送できる。
【００１１】
図１に示すように、ＷＴＲＵ１０５は、ＳＭＳプロトコルエンティティ１２５、ＳＳプロトコルエンティティ１３０、モビリティ管理（ＭＭ）プロトコルエンティティ１３５、ＥＭＭプロトコルエンティティ１４０およびＬＴＥ  ＲＲＣプロトコルエンティティ１４５を備える。ＷＴＲＵ１０５内のＥＰＳ  ＥＭＭプロトコルエンティティ１４０は、ＬＴＥ  ＲＲＣプロトコルエンティティ１４５およびＳＲＢ１５０を経由して、ＳＭＳおよびＳＳ要求／メッセージをＬＴＥネットワークに転送する。
【００１２】
対応する機能は、ＬＴＥネットワーク側にも（例えば、基地局またはコアネットワークコンポーネント内に）存在するかもしれない。ＭＭＥ１１５内のＬＴＥ  ＥＭＭプロトコルエンティティ１５５は、ＭＭＥ１１５とＭＳＣ／ＶＬＲ１２０との間のサービングゲートウェイ（ＳＧ）インタフェース経由で、ＭＳＣ／ＶＬＲ１２０等の従来のＳＭＳまたはＳＳ処理センターと、ＳＭＳまたはＳＳメッセージとの転送および受信、またはＳＭＳ用のサービスセンター（ＳＣ）（図示せず）への転送を取り扱う。
【００１３】
論理的には、ＳＧインタフェースは、ＭＭＥ機能エンティティとＶＬＲ機能エンティティとの間で定義される。本明細書で定義されるインタフェースは、既存の接続管理（ＣＭ）プロトコルエンティティ（ＳＭＳおよびＳＳ）と、ＬＴＥ用の新しいＭＭプロトコルエンティティであるＥＭＭとの間のインタフェースである。
【００１４】
図２に、代替のプロトコルエンティのアーキテクチャを用いたＷＴＲＵ２０５を備えた無線ＬＴＥ通信システム２００を示す。ＷＴＲＵ２０５は、ＳＭＳプロトコルエンティティ２２５、ＳＳプロトコルエンティティ２３０、ＭＭプロトコルエンティティ２３５、ＥＰＳ  ＥＭＭプロトコルエンティティ２４０およびＬＴＥ  ＲＲＣプロトコルエンティティ２４５を備える。しかし、図１に示したＷＴＲＵ１０５のプロトコルエンティティのアーキテクチャと違って、ＳＭＳプロトコルエンティティ２２５およびＳＳプロトコルエンティティ２３０は、ＥＭＭプロトコルエンティティ２４０と直接通信を行わず、代わりにＭＭプロトコルエンティティ２３５のみと通信を行う。
【００１５】
図２のプロトコルエンティティのアーキテクチャはまた、ＭＭプロトコルエンティティ２３５とＥＭＭプロトコルエンティティ２４０との間で直接のインタフェースがあることから、図１のプロトコルエンティティのアーキテクチャとは異なる。この直接のインタフェースにより、ＬＴＥおよび従来のアクセスネットワークにおけるＳＭＳおよびＳＳが可能となる。ＳＭＳ／ＳＳメッセージが生成されると、そのメッセージは、配信される順序でＭＭプロトコルエンティティ２３５に送信される。ＳＭＳ／ＳＳメッセージを受信すると、ＭＭプロトコルエンティティ２３５は、終端のＷＴＲＵの既存の無線アクセス技術（ＲＡＴ）をチェックする。既存のＲＡＴがＧＥＲＡＮ（ＧＳＭ／ＥＤＧＥ（enhanced data rates for GSM evolution）radio access network）か、ＵＴＲＡＮのどちらかである場合、ＭＭプロトコルエンティティ２３５は、周知のプロシージャに従って継続する。しかしながら、既存のＲＡＴがＥ−ＵＴＲＡＮ／ＬＴＥである場合、ＭＭプロトコルエンティティ２３５は、ＥＭＭプロトコルエンティティ２４０と連絡し、上位レイヤー情報（ＳＭＳ／ＳＳメッセージ）を配信する。この時点から、ＥＭＭ  ＳＭＳ／ＳＳ配信用に定義されたプロシージャが続く。
【００１６】
ＭＭプロトコルエンティティ２３５とＥＭＭプロトコルエンティティ２４０との間のインタフェースは、制御プリミティブとデータキャリッジコンテナとのセット（例えば、プリミティブデータ）を有することができる。制御プリミティブは、セッション／接続の確立およびエラー表示用のＥＭＭプロトコルエンティティ２４０に送信されるＳＭＳおよびＭＭプリミティブを変換するのに使用される。
【００１７】
〔ＳＭＳ用の拡張ＥＭＭ（Ｅ−ＥＭＭ）インタフェース〕
ＳＭＳプロトコルエンティティ１２５および２２５（基本ＲＡＴがＬＴＥなので本明細書では拡張ＳＭＳ（Ｅ−ＳＭＳ）と呼ばれる）は、ＬＴＥ制御プレーンを介したＥＭＭインタフェースを使用して、対応するピアエンティティと（ＷＴＲＵおよびＭＭＥ内で）通信を行う。
【００１８】
ＳＭＳメッセージが送信されても（ＬＴＥ  ＲＲＣ接続を通じた）ＥＭＭ接続がその時に存在しない場合、発信する端末上のＥ−ＳＭＳの要求によりＥＭＭ接続を確立しなければならない。
【００１９】
Ｅ−ＳＭＳとＥＭＭとの間のＳＭＳ／ＥＭＭ状態操作に使用されるプリミティブおよびインタラクションには以下のものが含まれる。
１）ＳＭＳ−ＥＭＭ−Ｃｏｎｎ−Ｅｓｔ−Ｒｅｑ（現在接続が存在しない場合、発信するＳＭＳの接続の確立をＥ-ＳＭＳからＥＭＭに対して要求する）
２）ＳＭＳ−ＥＭＭ−Ｃｏｎｎ−Ｅｓｔ−Ｃｎｆ（接続確立要求をＥＭＭからＥ-ＳＭＳに対して確認する）
３）ＳＭＳ−ＥＭＭ−Ｃｏｎｎ−Ｅｓｔ−Ｉｎｄ（着信するＳＭＳメッセージをＥＭＭからＥ−ＳＭＳに対して提示する）
４）ＳＭＳ−ＥＭＭ−Ｃｏｎｎ−Ｅｓｔ−Ｒｓｐ（着信するＳＭＳメッセージ提示をＥ-ＳＭＳからＥＭＭに対して応答する）
【００２０】
接続リリースプリミティブもまた定義し、これには以下のものが含まれる。
１）ＳＭＳ−ＥＭＭ−Ｒｅｌ−Ｒｅｑ（確立された接続のリリースをＥ−ＳＭＳからＥＭＭに対して要求する）
２）ＳＭＳ−ＥＭＭ−Ｒｅｌ−Ｃｎｆ（リリース要求をＥＭＭからＥ−ＳＭＳに対して確認する）
３）ＳＭＳ−ＥＭＭ−Ｒｅｌ−Ｉｎｄ（接続リリースをＥＭＭからＥ−ＳＭＳに対して提示する）
４）ＳＭＳ−ＥＭＭ−Ｒｅｌ−Ｒｓｐ（接続リリース提示をＥ−ＳＭＳからＥＭＭに対して応答する）
【００２１】
Ｅ−ＳＭＳとＥＭＭとの間のデータプリミティブもまた定義し、これには以下のものが含まれる。
１）ＳＭＳ−ＥＭＭ−Ｄａｔａ−Ｒｅｑ（Ｅ−ＳＭＳからＥＭＭにＳＭＳメッセージを伝達するためのプリミティブ）
２）ＳＭＳ−ＥＭＭ−Ｄａｔａ−Ｉｎｄ（ＥＭＭからＥ−ＳＭＳにＳＭＳメッセージを伝達するためのプリミティブ）
【００２２】
以下の制御プロトコル（ＣＰ）メッセージを使用して、ＷＴＲＵ上のＥ-ＳＭＳと、ネットワークコンポーネント（即ち、ＭＳＣ）との間のＳＭＳメッセージであるＣＰデータ、ＣＰ肯定応答およびＣＰエラーメッセージの搬送を利用者に意識されずに支援する。
【００２３】
図３に、無線通信システム３００においてＥ-ＳＭＳプロトコルエンティティ３０５とＥＭＭプロトコルエンティティ３１０との間で発生する信号伝達を示す。図３に示すように、ＳＭＳを開始するとき、Ｅ-ＳＭＳ３０５エンティティは、ＳＭＳ−ＥＭＭ−Ｃｏｎｎ−Ｅｓｔ−Ｒｅｑメッセージ３１５をＥＭＭプロトコルエンティティ３１０に送信してＥＭＭ３１０に問い合わせる。次にＥＭＭプロトコルエンティティ３１０が、ＬＴＥ  ＲＲＣ接続を介してそれがＥＭＭ接続をすでに有しているかどうかをチェックする。ＥＭＭ接続を有している場合、ＥＭＭプロトコルエンティティ３１０は、Ｅ−ＳＭＳプロトコルエンティティ３０５にＳＭＳ−ＥＭＭ−Ｃｏｎｎ−Ｅｓｔ−Ｃｎｆメッセージ３２０を返信して応答する。ＬＴＥ  ＲＲＣ接続を介してＥＭＭ接続が存在しない場合、ＥＭＭプロトコルエンティティ３１０は、ＬＴＥ  ＲＲＣを駆動して、「サービス要求」のために現在つながれているＥ−ＵＴＲＡＮへのＲＲＣ接続を確立する。ＲＲＣ接続の確立が成功すると、ＥＭＭプロトコルエンティティ３１０は、ＳＭＳ−ＥＭＭ−Ｃｏｎｎ−Ｅｓｔ−Ｃｎｆメッセージ３２０をＥ−ＳＭＳ３０５に返信する。送出するＳＭＳデータの処理は、ＳＭＳメッセージを搬送するためのＤａｔａ−Ｒｅｑメッセージ３２５およびＤａｔａ−Ｉｎｄメッセージ３３０を使用して進めることができる。
【００２４】
図４に、無線通信システム４００においてＥ−ＳＭＳプロトコルエンティティ４０５とＥＭＭプロトコルエンティティ４１０との間で発生する信号伝達を示す。図４に示すように、着信するＳＭＳの場合、ＥＭＭプロトコルエンティティ４１０は、Ｅ−ＵＴＲＡＮへのＥＭＭ／ＲＲＣ接続が存在しない場合に呼び出される。ＥＭＭプロトコルエンティティ４１０がＲＲＣ接続を確立するため呼び出しに応答すると、ＥＭＭプロトコルエンティティ４１０は、ＳＭＳ−ＥＭＭ−Ｃｏｎｎ−Ｅｓｔ−Ｉｎｄメッセージ４１５経由でＳＭＳイベントをＥ−ＳＭＳプロトコルエンティティ４０５に提示して、Ｅ−ＳＭＳプロトコルエンティティ４０５は、ＳＭＳ−ＥＭＭ−Ｃｏｎｎ−Ｅｓｔ−Ｒｓｐメッセージ４２０で応答する。着信するＳＭＳデータの処理は、ＳＭＳメッセージを搬送するためのＤａｔａ−Ｒｅｑメッセージ４２５およびＤａｔａ−Ｉｎｄメッセージ４３０を使用して進めることができる。
【００２５】
〔ＳＳ用のＥ−ＥＭＭインタフェース〕
ＳＳプロトコルエンティティ１３０および２３０（基本ＲＡＴがＬＴＥなので本明細書では拡張ＳＳ（Ｅ−ＳＳ）と呼ばれる）は、ＬＴＥ制御プレーンを介したＥＭＭインタフェースを使用して、対応するピアエンティティと（ＷＴＲＵおよびＭＭＥ内で）通信を行う。
【００２６】
ＳＳメッセージが送信されても（ＬＴＥ  ＲＲＣ接続を通じた）ＥＭＭセッションがその時に存在しない場合、発信する端末上のＥ−ＳＳの要求によりＥＭＭセッションを確立しなければならない。
【００２７】
Ｅ−ＳＳとＥＭＭとの間のＳＳ／ＥＭＭ状態操作に使用されるプリミティブおよびインタラクションは以下を含む。
１）ＳＳ−ＥＭＭ−Ｓｅｓｓ−Ｅｓｔ−Ｒｅｑ（現在セッションが存在しない場合、発信するＳＳのセッションの確立をＥ−ＳＳからＥＭＭに対して要求する）
２）ＳＳ−ＥＭＭ−Ｓｅｓｓ−Ｅｓｔ−Ｃｎｆ（セッション確立要求をＥＭＭからＥ−ＳＳに対して確認する）
３）ＳＳ−ＥＭＭ−Ｓｅｓｓ−Ｅｓｔ−Ｉｎｄ（着信するＳＳメッセージをＥＭＭからＥ−ＳＳに対して提示する）
４）ＳＳ−ＥＭＭ−Ｓｅｓｓ−Ｅｓｔ−Ｒｓｐ（着信するＳＳメッセージ提示をＥ−ＳＳからＥＭＭに対して応答する）
【００２８】
セッションリリースプリミティブも定義されて、以下を含む。
１）ＳＳ−ＥＭＭ−Ｒｅｌ−Ｒｅｑ（確立されたセッションのリリースをＥ−ＳＳからＥＭＭに対して要求する）
２）ＳＳ−ＥＭＭ−Ｒｅｌ−Ｃｎｆ（リリース要求をＥＭＭからＥ−ＳＳに対して確認する）
３）ＳＳ−ＥＭＭ−Ｒｅｌ−Ｉｎｄ（セッションリリースをＥＭＭからＥ−ＳＳに対して提示する）
４）ＳＳ−ＥＭＭ−Ｒｅｌ−Ｒｓｐ（セッションリリース提示をＥ−ＳＳからＥＭＭに対して応答する）
【００２９】
Ｅ−ＳＳとＥＭＭとの間のデータプリミティブも定義されて、以下を含む。
１）ＳＳ−ＥＭＭ−Ｄａｔａ−Ｒｅｑ（Ｅ−ＳＳからＥＭＭにＳＳメッセージを伝達するためのプリミティブ）
２）ＳＳ−ＥＭＭ−Ｄａｔａ−Ｉｎｄ（ＥＭＭからＥ−ＳＳにＳＳメッセージを伝達するためのプリミティブ）
【００３０】
ＬＴＥにおけるＳＳに対して、ＣＳ呼サービスがリリース８のＬＴＥでは対応していないので、ＬＴＥ標準はＣＳ呼に依存しないＳＳメッセージのみ対応する。現在、以下のＣＳ呼に依存しないＳＳに対応しており、図５に示す。
【００３１】
ＳＳメッセージのヘッダ構成がＳＭＳメッセージのヘッダ構成と同じであるとすると（図８参照）、上記で対応している呼に依存しないＳＳメッセージが、図９に示したＥＭＭメッセージ内の（ＳＳメッセージヘッダの）オクテット９において挿入される。
【００３２】
〔ＥＭＭを用いたＳＭＳおよびＳＳ搬送用のカプセル化機構〕
〔カプセル化用の基本ＥＭＭメッセージフォーマット〕
ＳＭＳまたはＳＳを搬送するＥＭＭメッセージは、ＳＭＳメッセージまたはＳＳメッセージ（図８に示す）をＥＭＭ  ＵＬ  ＮＡＳトランスポートメッセージまたはＤＬ  ＮＡＳトランスポートメッセージ（図７に示す）の情報要素（ＩＥ）内に含めることによって作成され、図６に示したＥＭＭメッセージのＮＡＳメッセージヘッダ内にカプセル化される。
【００３３】
図７に示したＮＡＳメッセージは、ＵＬ  ＮＡＳトランスポートメッセージか、ＤＬ  ＮＡＳトランスポートメッセージのいずれかであり、目的のサービス用のＳＭＳまたはＳＳメッセージを伝達する。ＮＡＳトランスポートメッセージのヘッダおよび本体のさらなる詳細を図９に示す。
【００３４】
〔ＳＭＳおよびＳＳメッセージヘッダ〕
ＳＳメッセージに加えて、現在使用されるＣＭレベルのＳＭＳメッセージ（ＣＰデータ、ＣＰ肯定応答およびＣＰエラー）は、図８に示すヘッダフォーマットを有することができる。
【００３５】
図８において、トランザクション識別子フィールドをＳＭＳおよびＳＳのために、元々のトランザクション識別子のフィールドとして使用することができる。プロトコル識別子フィールドは使用して、カプセル化されたＳＭＳまたはＳＳまたはその他を識別するために使用することができる。メッセージタイプフィールドは、ＳＭＳまたはＳＳメッセージの個々のタイプを表示するために使用することができる。
【００３６】
〔ＳＭＳおよびＳＳメッセージをカプセル化するためのＥＭＭメッセージフォーマット〕
ＳＭＳまたはＳＳにメッセージ本体（即ち、ペイロード）を加えたものに対応するためにＥＭＭ上で組み合わされたヘッダを図９に図示する。このメッセージフォーマットでは、ＬＴＥアクセス層制御プレーンベアラを使用して、ＷＴＲＵとネットワークとの間でＳＭＳまたはＳＳトラフィックを伝達する。第１のシナリオにおいて、ＳＭＳ／ＳＳエンティティとＷＴＲＵにおけるＥＭＭエンティティとの間の直接のインタフェースが存在する。ＬＴＥ  ＲＲＣ接続経由でＥ−ＵＴＲＡＮおよびＭＭＥを用いてＥＭＭセッション／接続が確立されると、ＷＴＲＵは、ＬＴＥ  ＳＲＢ−２へ通じるＥＭＭおよびＲＲＣインタフェースをＳＭＳ／ＳＳ搬送媒体として使用できる。ＳＲＢ−２（シグナル無線ベアラ２）は、ＵＬ／ＤＬトランスポートチャネルＵＬ−ＳＣＨ（アップリンク共有チャネル）／ＤＬ−ＳＣＨ（ダウンリンク共有チャネル）上にある、双方向の論理チャネルＤＣＣＨ（専用制御チャネル）上にマッピングされて、次に、ＬＴＥにおける物理チャネルＰＵＳＣＨ（物理アップリンク共有チャネル）／ＰＤＳＣＨ（物理ダウンリンク共有チャネル）上にマッピングされる。ＲＲＣ接続がモバイルで発信された（ＭＯ）ＳＭＳシナリオ内に存在しない場合、ＥＭＭプロトコルエンティティは、ＲＲＣプロトコルエンティティを駆動してＲＲＣ接続を確立する。
【００３７】
あるシナリオにおいて、図１に示したＷＴＲＵ１０５内のＳＭＳプロトコルエンティティ１２５は、図８に示したヘッダおよびペイロードを使用してＳＭＳメッセージを作成し、ＳＭＳメッセージをＥＭＭプロトコルエンティティ１４０に送信する。そのＥＭＭプロトコルエンティティ１４０は、図７に示した、ＳＭＳメッセージがＵＬ／ＤＬ  ＮＡＳトランスポートメッセージのＮＡＳメッセージ本体ＩＥに挿入されるヘッダフォーマットを使用してＵＬ／ＤＬ  ＮＡＳトランスポートメッセージをフォーマットする。ＵＬ／ＤＬ  ＮＡＳトランスポートメッセージは、図６に示したＥＭＭメッセージのＮＡＳメッセージフィールド内にカプセル化されて、ＲＲＣプロトコルエンティティ１４５に転送される。ＲＲＣプロトコルエンティティ１４５は、ＵＬ／ＤＬ情報転送メッセージがそのＥＭＭメッセージを含むようにフォーマットし、ＳＲＢ１５０を介してそのＵＬ／ＤＬ情報転送メッセージを伝送する。
【００３８】
別のシナリオにおいて、図１に示したＷＴＲＵ１０５内のＳＳプロトコルエンティティ１３０は、図８に示したヘッダおよびペイロードを使用してＳＳメッセージを作成し、ＳＳメッセージをＥＭＭプロトコルエンティティ１４０に送信する。そのＥＭＭプロトコルエンティティ１４０は、図７に示した、ＳＳメッセージがＵＬ／ＤＬ  ＮＡＳトランスポートメッセージのＮＡＳメッセージ本体ＩＥに挿入されるヘッダフォーマットを使用してＵＬ／ＤＬ  ＮＡＳトランスポートメッセージをフォーマットする。ＵＬ／ＤＬ  ＮＡＳトランスポートメッセージは、図６に示したＥＭＭメッセージのＮＡＳメッセージフィールド内にカプセル化されて、ＲＲＣプロトコルエンティティ１４５に転送される。ＲＲＣプロトコルエンティティ１４５は、ＵＬ／ＤＬ情報転送メッセージがそのＥＭＭメッセージを含むようにフォーマットして、ＳＲＢ１５０を介してそのＵＬ／ＤＬ情報転送メッセージを伝送する。
【００３９】
図１０に、上記で定義されたプリミティブを使用したＭＴ  ＳＭＳのプロシージャの信号伝達図を示す。図１０に示すように、ＷＴＲＵ１０００は、ＳＭＳプロトコルエンティティ１００５、ＥＭＭプロトコルエンティティ１０１０およびＲＲＣプロトコルエンティティ１０１５を備える。ネットワーク１０２０は、簡潔にするために単一のエンティティとして図示されている。
【００４０】
ＭＴ  ＳＭＳシナリオにおいて、ネットワーク１０２０は、ＷＴＲＵ１０００がアイドル状態である間にＷＴＲＵ１０００に呼び出し（page）１０２５を送信でき、ＷＴＲＵ１０００は、（呼び出し応答を用いて）ＲＲＣ接続を確立するためのサービス要求１０３０で応答できる。ＥＭＭプロトコルエンティティ１０１０は、次に、ＥＭＭ  ＤＬ  ＮＡＳトランスポートメッセージおよびＵＬ  ＮＡＳトランスポートメッセージを使用してＳＭＳメッセージを送受信できる。ＲＲＣプロトコルエンティティ１０１５は、搬送のためにＲＲＣ  ＤｏｗｎｌｉｎｋＩｎｆｏｒｍａｔｉｏｎＴｒａｎｓｆｅｒメッセージ１１３５およびＲＲＣ  ＵｐｌｉｎｋＩｎｆｏｒｍａｔｉｏｎＴｒａｎｓｆｅｒメッセージ１１４０を使用する。
【００４１】
図１１に、上記で定義されたプリミティブを使用したＭＴ  ＳＳのプロシージャの信号伝達図を示す。図１１に示すように、ＷＴＲＵ１１００は、ＳＳプロトコルエンティティ１１０５、ＥＭＭプロトコルエンティティ１１１０およびＲＲＣプロトコルエンティティ１１１５を備える。ネットワーク１１２０は、簡潔にするために単一のエンティティとして図示されている。
【００４２】
ＭＴ  ＳＭＳシナリオにおいて、ネットワーク１１２０は、ＷＴＲＵ１０１０がアイドル状態である間にＷＴＲＵ１１００に呼び出し１１２５を送信でき、ＷＴＲＵ１１００は、（呼び出し応答を用いて）ＲＲＣ接続を確立するためのサービス要求１１３０で応答できる。ＥＭＭプロトコルエンティティ１１１０は、次に、ＲＲＣ  ＤｏｗｎｌｉｎｋＩｎｆｏｒｍａｔｉｏｎＴｒａｎｓｆｅｒメッセージ１１３５内のＥＭＭ  ＤＬ  ＮＡＳトランスポートメッセージまたはＲＲＣ  ＵｐｌｉｎｋＩｎｆｏｒｍａｔｉｏｎＴｒａｎｓｆｅｒメッセージ１１４０内のＥＭＭ  ＵＬ  ＮＡＳトランスポートメッセージを使用してＳＳメッセージを送受信できる。
【００４３】
以下、図１を参照して上述した特徴を要約する。
【００４４】
あるシナリオにおいて、図１のＷＴＲＵ１０５は、ＥＭＭプロトコルエンティティ１４０にＳＭＳメッセージを送信するように要求するＳＭＳプロトコルエンティティ１２５を使用することによって、ＳＭＳメッセージを伝達する。ＥＭＭプロトコルエンティティ１４０は、次に、そのＳＭＳメッセージを包含するＩＥを含むＵＬ  ＮＡＳトランスポートメッセージを送信するプロシージャを開始する。ＳＭＳプロトコルエンティティ１２５は、そのＳＭＳメッセージをＥＭＭプロトコルエンティティ１４０に送信できる。ＥＭＭプロトコルエンティティ１４０は、ＵＬ  ＮＡＳトランスポートメッセージがそのＳＭＳメッセージを含むようにフォーマットして、そのＵＬ  ＮＡＳトランスポートメッセージをＥＭＭメッセージ内にカプセル化して、そのＥＭＭメッセージをＬＴＥ  ＲＲＣプロトコルエンティティ１４５に送信する。ＬＴＥ  ＲＲＣプロトコルエンティティ１４５は、ＵＬ情報転送メッセージがそのＥＭＭメッセージを含むようにフォーマットして、ＳＲＢを介してそのＵＬ情報転送メッセージを伝送する。そのＵＬ情報転送メッセージをＭＭＥ１１５に伝送できる。
【００４５】
別のシナリオにおいて、図１のＷＴＲＵ１０５は、ＳＭＳメッセージを包含するＩＥを含むＤＬ  ＮＡＳトランスポートメッセージを受信するＥＭＭプロトコルエンティティ１４０を使用することによって、ＳＭＳメッセージを伝達する。ＥＭＭプロトコルエンティティ１４０は、そのＳＭＳメッセージをＳＭＳプロトコルエンティティ１２５に転送する。ＲＲＣプロトコルエンティティ１４５は、ＤＬ情報転送メッセージを受信して、そのＤＬ情報転送メッセージからＤＬ  ＮＡＳトランスポートメッセージを抽出して、そのＤＬ  ＮＡＳトランスポートメッセージをＥＭＭプロトコルエンティティ１４０に転送できる。ＥＭＭプロトコルエンティティ１４０は、次に、そのＤＬ  ＮＡＳトランスポートメッセージから少なくとも１つのＮＡＳメッセージヘッダを抽出する。ＲＲＣプロトコルエンティティは、ＭＭＥからそのＤＬ情報転送メッセージを受信できる。
【００４６】
別のシナリオにおいて、図１のＷＴＲＵ１０５は、ＥＭＭプロトコルエンティティ１４０にＳＳメッセージを送信するように要求するＳＳプロトコルエンティティ１３０を使用することによって、ＳＳメッセージを伝達する。ＥＭＭプロトコルエンティティ１４０は、次に、そのＳＳメッセージを包含するＩＥを含むＵＬ  ＮＡＳトランスポートメッセージを送信するプロシージャを開始する。ＳＳプロトコルエンティティ１３０は、そのＳＳメッセージをＥＭＭプロトコルエンティティ１４０に送信できる。ＥＭＭプロトコルエンティティ１４０は、ＵＬ  ＮＡＳトランスポートメッセージがそのＳＳメッセージを含むようにフォーマットして、そのＵＬ  ＮＡＳトランスポートメッセージをＥＭＭメッセージ内にカプセル化して、そのＥＭＭメッセージをＬＴＥ  ＲＲＣプロトコルエンティティ１４５に送信する。ＬＴＥ  ＲＲＣプロトコルエンティティ１４５は、ＵＬ情報転送メッセージがそのＥＭＭメッセージを含むようにフォーマットして、ＳＲＢを介してそのＵＬ情報転送メッセージを伝送する。そのＵＬ情報転送メッセージをＭＭＥ１１５に伝送できる。
【００４７】
さらに別のシナリオにおいて、図１のＷＴＲＵ１０５は、ＳＳメッセージを包含するＩＥを含むＤＬ  ＮＡＳトランスポートメッセージを受信するＥＭＭプロトコルエンティティ１４０を使用することによって、ＳＳメッセージを伝達する。ＥＭＭプロトコルエンティティ１４０は、そのＳＳメッセージをＳＳプロトコルエンティティ１３０に転送する。ＲＲＣプロトコルエンティティ１４５は、ＤＬ情報転送メッセージを受信して、そのＤＬ情報転送メッセージからＤＬ  ＮＡＳトランスポートメッセージを抽出して、そのＤＬ  ＮＡＳトランスポートメッセージをＥＭＭプロトコルエンティティ１４０に転送できる。ＥＭＭプロトコルエンティティ１４０は、次に、そのＤＬ  ＮＡＳトランスポートメッセージから少なくとも１つのＮＡＳメッセージヘッダを抽出する。ＲＲＣプロトコルエンティティは、ＭＭＥからＤＬ情報転送メッセージを受信できる。
【００４８】
（実施形態）
１．ショートメッセージサービス（ＳＭＳ）メッセージを伝達する方法であって、
ＳＭＳプロトコルエンティティは、発展型パケットシステム（ＥＰＳ）モビリティ管理（ＥＭＭ）プロトコルエンティティをＳＭＳメッセージに送信するように要求すること、
前記ＥＭＭプロトコルエンティティは、前記ＳＭＳメッセージを包含する情報要素（ＩＥ）を含むアップリンク（ＵＬ）非アクセス層（ＮＡＳ）トランスポートメッセージを送信するプロシージャを開始すること
を備えることを特徴とする方法。
２．前記ＳＭＳプロトコルエンティティは、前記ＳＭＳメッセージを前記ＥＭＭプロトコルエンティティに送信すること、
前記ＥＭＭプロトコルエンティティは、前記ＵＬ  ＮＡＳトランスポートメッセージが前記ＳＭＳメッセージを含むようにフォーマットすること、前記ＵＬ  ＮＡＳトランスポートメッセージをＥＭＭメッセージ内にカプセル化すること、および前記ＥＭＭメッセージを無線リソース制御（ＲＲＣ）プロトコルエンティティに送信すること、
前記ＲＲＣプロトコルエンティティは、ＵＬ情報転送メッセージが前記ＥＭＭメッセージを含むようにフォーマットすること、およびシグナリング無線ベアラ（ＳＲＢ）を介して前記ＵＬ情報転送メッセージを伝送すること
をさらに備えることを特徴とする実施形態１に記載の方法。
３．前記ＵＬ情報転送メッセージは、モビリティ管理エンティティ（ＭＭＥ）に伝送されることを特徴とする実施形態２に記載の方法。
４．ショートメッセージサービス（ＳＭＳ）メッセージを伝達する方法であって、
発展型パケットシステム（ＥＰＳ）モビリティ管理（ＥＭＭ）プロトコルエンティティは、ＳＭＳメッセージを包含する情報要素（ＩＥ）を含むダウンリンク（ＤＬ）非アクセス層（ＮＡＳ）トランスポートメッセージを受信すること、
前記ＥＭＭプロトコルエンティティは、前記ＳＭＳメッセージをＳＭＳプロトコルエンティティに転送すること
を備えることを特徴とする方法。
５．無線リソース制御（ＲＲＣ）プロトコルエンティティは、ＤＬ情報転送メッセージを受信すること、前記ＤＬ情報転送メッセージから前記ＤＬ  ＮＡＳトランスポートメッセージを除去すること、および前記ＤＬ  ＮＡＳトランスポートメッセージを前記ＥＭＭプロトコルエンティティに転送すること、
前記ＥＭＭプロトコルエンティティは、前記ＤＬ  ＮＡＳトランスポートメッセージから少なくとも１つのＮＡＳメッセージヘッダを除去すること
をさらに備えることを特徴とする実施形態４に記載の方法。
６．前記ＲＲＣプロトコルエンティティは、モビリティ管理エンティティ（ＭＭＥ）から前記ＤＬ情報転送メッセージを受信することを特徴とする実施形態５に記載の方法。
７．付加サービス（ＳＳ）メッセージを伝達する方法であって、
ＳＳプロトコルエンティティは、発展型パケットシステム（ＥＰＳ）モビリティ管理（ＥＭＭ）プロトコルエンティティをＳＳメッセージに送信するように要求すること、
前記ＥＭＭプロトコルエンティティは、前記ＳＳメッセージを包含する情報要素（ＩＥ）を含むアップリンク（ＵＬ）非アクセス層（ＮＡＳ）トランスポートメッセージを送信するプロシージャを開始すること
を備えることを特徴とする方法。
８．前記ＳＳプロトコルエンティティは、前記ＳＭＳメッセージを前記ＥＭＭプロトコルエンティティに送信すること、
前記ＥＭＭプロトコルエンティティは、前記ＵＬ  ＮＡＳトランスポートメッセージが前記ＳＳメッセージを含むようにフォーマットすること、前記ＵＬ  ＮＡＳトランスポートメッセージをＥＭＭメッセージ内にカプセル化すること、および前記ＥＭＭメッセージを無線リソース制御（ＲＲＣ）プロトコルエンティティに送信すること、
前記ＲＲＣプロトコルエンティティは、ＵＬ情報転送メッセージが前記ＥＭＭメッセージを含むようにフォーマットすること、およびシグナリング無線ベアラ（ＳＲＢ）を介して前記ＵＬ情報転送メッセージを伝送すること
をさらに備えることを特徴とする実施形態７に記載の方法。
９．前記ＵＬ情報転送メッセージは、モビリティ管理エンティティ（ＭＭＥ）に伝送されることを特徴とする実施形態８に記載の方法。
１０．付加サービス（ＳＳ）メッセージを伝達する方法であって、
発展型パケットシステム（ＥＰＳ）モビリティ管理（ＥＭＭ）プロトコルエンティティは、ＳＳメッセージを包含する情報要素（ＩＥ）を含むダウンリンク（ＤＬ）非アクセス層（ＮＡＳ）トランスポートメッセージを受信すること、
前記ＥＭＭプロトコルエンティティは、前記ＳＳメッセージをＳＳプロトコルエンティティに転送すること
を備えることを特徴とする方法。
１１．無線リソース制御（ＲＲＣ）プロトコルエンティティは、ＤＬ情報転送メッセージを受信すること、前記ＤＬ情報転送メッセージから前記ＤＬ  ＮＡＳトランスポートメッセージを除去すること、および前記ＤＬ  ＮＡＳトランスポートメッセージを前記ＥＭＭプロトコルエンティティに転送すること、
前記ＥＭＭプロトコルエンティティは、前記ＤＬ  ＮＡＳトランスポートメッセージから少なくとも１つのＮＡＳメッセージヘッダを除去すること
をさらに備えることを特徴とする実施形態１０に記載の方法。
１２．前記ＲＲＣプロトコルエンティティは、モビリティ管理エンティティ（ＭＭＥ）から前記ＤＬ情報転送メッセージを受信することを特徴とする実施形態１１に記載の方法。
１３．ショートメッセージサービス（ＳＭＳ）メッセージを伝達するための無線送受信ユニット（ＷＴＲＵ）であって、
ＳＭＳメッセージを送信する要求を発生するように構成されたＳＭＳプロトコルエンティティと、
前記要求に応答して、前記ＳＭＳメッセージを包含する情報要素（ＩＥ）を含むアップリンク（ＵＬ）非アクセス層（ＮＡＳ）トランスポートメッセージを送信するプロシージャを開始するように構成された発展型パケットシステム（ＥＰＳ）モビリティ管理（ＥＭＭ）プロトコルエンティティと
を備えることを特徴とするＷＴＲＵ。
１４．前記ＥＭＭプロトコルエンティティは、前記ＵＬ  ＮＡＳトランスポートメッセージが前記ＳＭＳメッセージを含むようにフォーマットする、および前記ＵＬ  ＮＡＳトランスポートメッセージをＥＭＭメッセージ内にカプセル化するようにさらに構成されることを特徴とする実施形態１３に記載のＷＴＲＵ。
１５．前記ＥＭＭプロトコルエンティティから前記ＥＭＭメッセージを受信して、ＵＬ情報転送メッセージが前記ＥＭＭメッセージを含むようにフォーマットして、およびシグナリング無線ベアラ（ＳＲＢ）を介して前記ＵＬ情報転送メッセージを伝送するように構成された無線リソース制御（ＲＲＣ）プロトコルエンティティをさらに備えることを特徴とする実施形態１４に記載のＷＴＲＵ。
１６．前記ＵＬ情報転送メッセージは、モビリティ管理エンティティ（ＭＭＥ）に伝送されることを特徴とする実施形態１５に記載のＷＴＲＵ。
１７．ショートメッセージサービス（ＳＭＳ）メッセージを伝達するための無線送受信ユニット（ＷＴＲＵ）であって、
ＳＭＳプロトコルエンティティと、
ＳＭＳメッセージを包含する情報要素（ＩＥ）を含むおよび前記ＳＭＳメッセージを前記ＳＭＳプロトコルエンティティに転送するダウンリンク（ＤＬ）非アクセス層（ＮＡＳ）トランスポートメッセージを受信するように構成された発展型パケットシステム（ＥＰＳ）モビリティ管理（ＥＭＭ）プロトコルエンティティと
を備えることを特徴とするＷＴＲＵ。
１８．ＤＬ情報転送メッセージを受信して、前記ＤＬ情報転送メッセージから前記ＤＬ  ＮＡＳトランスポートメッセージを抽出して、および前記ＤＬ  ＮＡＳトランスポートメッセージを前記ＥＭＭプロトコルエンティティに転送するように構成された無線リソース制御（ＲＲＣ）プロトコルエンティティをさらに備えることを特徴とする実施形態１７に記載のＷＴＲＵ。
１９．前記ＲＲＣプロトコルエンティティは、モビリティ管理エンティティ（ＭＭＥ）から前記ＤＬ情報転送メッセージを受信することを特徴とする実施形態１８に記載のＷＴＲＵ。
２０．付加サービス（ＳＳ）メッセージを伝達するための無線送受信ユニット（ＷＴＲＵ）であって、
ＳＳメッセージを送信する要求を発生するように構成されたＳＳプロトコルエンティティと、
前記要求に応答して、前記ＳＭＳメッセージを包含する情報要素（ＩＥ）を含むアップリンク（ＵＬ）非アクセス層（ＮＡＳ）トランスポートメッセージを送信するプロシージャを開始するように構成された発展型パケットシステム（ＥＰＳ）モビリティ管理（ＥＭＭ）プロトコルエンティティと
を備えることを特徴とするＷＴＲＵ。
２１．前記ＥＭＭプロトコルエンティティは、前記ＵＬ  ＮＡＳトランスポートメッセージが前記ＳＳメッセージを含むようにフォーマットする、および前記ＵＬ  ＮＡＳトランスポートメッセージをＥＭＭメッセージ内にカプセル化するようにさらに構成されることを特徴とする実施形態２０に記載のＷＴＲＵ。
２２．前記ＥＭＭプロトコルエンティティから前記ＥＭＭメッセージを受信して、ＵＬ情報転送メッセージが前記ＥＭＭメッセージを含むようにフォーマットして、およびシグナリング無線ベアラ（ＳＲＢ）を介して前記ＵＬ情報転送メッセージを伝送するように構成された無線リソース制御（ＲＲＣ）プロトコルエンティティをさらに備えることを特徴とする実施形態２１に記載のＷＴＲＵ．
２３．前記ＵＬ  ＮＡＳトランスポートメッセージは、モビリティ管理エンティティ（ＭＭＥ）に伝送されることを特徴とする実施形態２２に記載のＷＴＲＵ。
２４．付加サービス（ＳＳ）メッセージを伝達するための無線送受信ユニット（ＷＴＲＵ）であって、
ＳＳプロトコルエンティティと、
ＳＳメッセージを包含する情報要素（ＩＥ）を含むおよび前記ＳＳメッセージを前記ＳＳプロトコルエンティティに転送するダウンリンク（ＤＬ）非アクセス層（ＮＡＳ）トランスポートメッセージを受信するように構成された発展型パケットシステム（ＥＰＳ）モビリティ管理（ＥＭＭ）プロトコルエンティティと
を備えることを特徴とするＷＴＲＵ。
２５．ＤＬ情報転送メッセージを受信して、前記ＤＬ情報転送メッセージから前記ＤＬ  ＮＡＳトランスポートメッセージを抽出して、および前記ＤＬ  ＮＡＳトランスポートメッセージを前記ＥＭＭプロトコルエンティティに転送するように構成された無線リソース制御（ＲＲＣ）プロトコルエンティティをさらに備えることを特徴とする実施形態２４に記載のＷＴＲＵ。
２６．前記ＲＲＣプロトコルエンティティは、モビリティ管理エンティティ（ＭＭＥ）から前記ＤＬ情報転送メッセージを受信することを特徴とする実施形態２５に記載のＷＴＲＵ。
【００４９】
特徴および要素について、特定の組み合わせにおいて上述しているが、それぞれの特徴または要素を、他の特徴および要素を用いずに単独で、または他の特徴および要素の有無にかかわらずさまざまな組み合わせにおいて使用することができる。本明細書で提供された方法またはフローチャートを、汎用コンピュータまたはプロセッサが実行するためのコンピュータ可読ストレージ媒体に組み込まれる、コンピュータプログラム、ソフトウェア、またはファームウェアに実装できる。コンピュータ可読ストレージ媒体の例は、ＲＯＭ（read only memory）、ＲＡＭ（random access memory）、レジスタ、キャッシュメモリ、半導体メモリデバイス、内蔵ハードディスクおよびリムーバブルディスク等の磁気媒体、光磁気媒体、およびＣＤ−ＲＯＭディスクおよびＤＶＤ（digital versatile disk）等の光学媒体を含む。
【００５０】
適するプロセッサは、例を挙げると、汎用プロセッサ、専用プロセッサ、従来型プロセッサ、ＤＳＰ（digital signal processor）、複数のマイクロプロセッサ、ＤＳＰコアと連動する１または複数のマイクロプロセッサ、コントローラ、マイクロコントローラ、ＡＳＩＣ（Application Specific Integrated Circuit）、ＦＰＧＡ（Field Programmable Gate Array）回路、その他の種類の集積回路（ＩＣ）、および／またはステートマシンを含む。
【００５１】
ソフトウェアと連動するプロセッサを使用して、無線送受信ユニット（ＷＴＲＵ）、ユーザ機器（ＵＥ）、端末、基地局、無線ネットワークコントローラ（ＲＮＣ）、または任意のホストコンピュータに使用するための無線周波数トランシーバを実装できる。ＷＴＲＵを、カメラ、ビデオカメラモジュール、ビデオフォン、スピーカフォン、振動デバイス、スピーカ、マイクロフォン、テレビトランシーバ、ハンズフリーヘッドセット、キーボード、Ｂｌｕｅｔｏｏｔｈ（登録商標）モジュール、ＦＭ（frequency modulated）無線ユニット、液晶表示（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ等のハードウェアおよび／またはソフトウェアに実装されるモジュール、および／または任意の無線ＬＡＮ（wireless local area network）または超広帯域（ＵＷＢ）モジュールとともに使用できる。
【図１】
2015111893.tif 000003
【図２】
2015111893.tif 000004
【図３】
2015111893.tif 000005
【図４】
2015111893.tif 000006
【図５】
2015111893.tif 000007
【図６】
2015111893.tif 000008
【図７】
2015111893.tif 000009
【図８】
2015111893.tif 000010
【図９】
2015111893.tif 000011
【図１０】
2015111893.tif 000012
【図１１】
2015111893.tif 000013